(57)【要約】      （修正有）【課題】  開口部を開閉するためにファスナー、マジックテープ、紐、ボタン等の副資材を使用してない開口部を持つ袋を提供する。【解決手段】  底布の上に、それと同寸の布二枚を、それぞれ二分割して形成された四枚を、フタ布２として、縦横、縦横に交互に重ね、周囲を縫合し、四枚のフタ布２の上下、左右の突き合せ部を開口部５とする。【選択図】  図１０
2005324854.tif 000002
【特許請求の範囲】
【請求項１】
一枚の底布の上にこれと同寸の布を二分割し、内一片を左右いずれかに位置する、その上にもう一枚の底布と同寸の布を二分割し、内一片を上下いずれかに置く、次に二分割し、左右いずれかに位置した残りの一片を、最初に位置した反対側に置く、最後に二分割し、上下いずれかに置いた残りの一片を、上下いずれかに置いた反対側に位置し、左右いずれかの片方を、最初に置いた一片と底布の間に入れ込み、三枚重ねになった周囲を縫い合わせる。
底布と同寸の二枚を、それぞれに二分割した四枚で、縦横、縦横と交互に重ねて、フタ布とする事を特徴とし上下左右つき合せ部を開口部とする収納袋。
【請求項２】
この収納袋は使用する素材によって、糸接着剤ヒートシールで周りを縫合する、縫代（接着代）を内にした場合は、四ツの角をそれぞれ縫う事により厚みを作り縫代を外に出した場合長方形、丸型、花形、ハート形、小動物型等周囲を型取り大きさ、形、厚み、に関係なく開口部は一定である事を特徴とする請求項１記載の収納袋。
【請求項３】
衣類の一部を底布として、ポケットの出来上がり寸法の布２枚を、それぞれ二分割して、交互に縦横、縦横と張り縫い付ける、請求項１、若しくは請求項２記載の収納袋。
【請求項４】
四ツの角のそれぞれのフタ布の重なりを少なくし開口部を大きくする、請求項１、請求項２、請求項３のいずれかに記載の収納袋。
【発明の詳細な説明】
【技術分野】
【０００１】本発明は、底布に四枚の布を、交互に縦横、縦横に重ねてフタ布とし、その四枚の布の突き合せ部を、開口部とした収納袋である。（上記縦横の重なりで形成されたつき合せ部）
【背景技術】
【０００２】従来の収納袋は、大方が筒状で、口を開閉するためにマジックテープ、ファスナー、紐、ボタン等の副資材を使用するか、袋の開口部を、二度三度と折りたたんで、物を収納するようにしたものが多い。
【発明の開示】
【発明が解決しようとする課題】
【０００３】従来の袋は、一方が開口部で、一方がとじられ底を形成し、中身が見えない様又出ない様、開口部に副資材を使ってそれを補っている。【０００４】本発明は、副資材を要せず、一枚の底布と四枚の布を交差してフタ布とし、四枚の布の突き合せ部を、開口部としたものである。
【課題を解決するための手段】
【０００５】一枚の底布の上にこれと同寸の布を二分割し内一片を左右いずれかに位置する、その上にもう一枚の底布と、同寸の布を二分割し、内一片を上下いずれかに置く次に二分割し、左右いずれかに位置した残りの一片を、最初に位置した反対側に置く、最後に二分割し、上下いずれかに置いた残りの一片を、上下いずれかに置いた反対側に位置し、左右いずれかの片方を、最初に置いた一片と底布の間に入れ込み、三枚重ねになった周囲を縫い合せる、底布と同寸の二枚をそれぞれ二分割した四枚を、縦横、縦横と交互に重ねて、フタ布とする事を特徴とし、上下、左右のつき合せ部を開口部とする収納袋。
【発明の効果】
【０００６】開口部を閉じるための副資材を要せず、フタ布を縦横に順次重ねることで、常時閉じられる、開口時はつき合せ部分より指先を挿入すれば、内部は底布と同寸の中空部が形成される。【０００７】大きさ、型、素材によって利用範囲が広い。
【発明を実施するための最良の形態】
【０００８】本発明に於いて布とは、織物、編物、不織布及び紙、合成樹脂、フイルムシートを含む。【０００９】以下本発明の実施形態を図１〜図１０によって説明する。【００１０】周囲の縫代を含めた寸法の底布を用意し、それぞれの角にＡ、Ｂ、Ｃ、Ｄの符号をつけた平面図。【００１１】図２、図３は底布と同寸の布二枚を用意し、それぞれを二分割し、フタ布四枚を形成する、わかり易くするためにイロハニの符号をつけ、それぞれの角に１２３４の符号をつけた平面図である。【００１２】図４、図５は最初から長方形に仕上る場合は、二枚の分割する布の織目を、同一方向に二分割すると、縞模様等が引き立つ、矢印は織目を示した図である。【００１３】図６は、底布の上にフタ布イを、左右どちらかに位置するが、この場合は左側に位置した図であり、この時底布のＡ角に、フタ布イの角１又は角４を重ねるが、この場合は角１を重ねた平面図である。【００１４】図７は、フタ布ハを上下いずれかに位置するが、この場合はフタ布ハを上側に位置した図であり、この時底布のＡ角と、フタ布イの角１を重ねた上に、フタ布ハの角２又は角３を重ねるが、この場合は角２を重ねた平面図である。【００１５】図８は、フタ布ロをフタ布イの反対側に置き、底布のＢ角と、フタ布ハの角４を重ねた上に、フタ布ロの角２又は角３を重ねるが、この場合は角２を重ねた平面図である。【００１６】図７は、フタ布ニをフタ布ハの反対側に置き、底布のＤ角と、フタ布ロの角４の上に、フタ布ニの角２又は角３を重ねるが、この場合は角３を重ねた図であり、フタ布ニの片側を底布とフタ布イの間に入れ込んで、底布Ｃ角とフタ布ニの角１フタ布イの角３を重ねて、底布の上にフタ布四枚を交互に重ね終えた平面図である。【００１７】図１０は、図９で重ね終えた周囲を縫合した平面図である。
素材によって縫合は糸接着剤、ヒートシール等使いわける。【００１８】縫代は、収納袋の用途により、内側にしたり外に出したりもする、縫代を外に出すときは、底布の裏面を上にし、その上に、図６から図９迄の動作を、フタ布の表面を上にして重ねて行く、又縫代を内側に入れる場合は、底布の表面の上に、図６から図９迄の動作を、フタ布の裏面を上にして重ねてゆき、中表の状態にして開口部より表にかえす。【００１９】図１１は、縫代を中に入れた場合、袋に厚みを出すために四ツの角を縫い摘むがその摘み方を示した斜視図である。
【図面の簡単な説明】
【００２０】
【図１】  底布の四ツの角に、符号を付けた平面図。
2005324854.tif 000003
【図６】  底布の上に、二分割した内の一枚を、横方向に置いた平面図。
【図７】  底布の上に、もう一枚を二分割した内の一枚を、横方向に置いた平面図。
【図８】  三枚目を縦方向に置いた平面図。
【図９】  四枚目を横方向に置き、片方を底布と一枚目の間に入れた平面図。
【図１０】  四枚を交互に重ね置き、三枚重ねになった周囲を縫った平面図。
【図１１】  縫代を内側に入れて、四ツの角に摘みを作り、厚みを出した収納袋の斜視図。
【図１２】  縫代を外に出した収納袋の斜視図。
【図１３】  袋に厚みを出すために角の摘みを示した斜視図。
【図１４】  衣類にポケットとして付けた平面図。
【図１５】  開口部を大きくした平面図。
【図１６】  開口部を細く長くした平面図。
【符号の説明】
【００２１】  １  底布
２  フタ布
３  分割線
４  布の織目
５  開口部
６  縫代
７  厚みを出すための角のつまみ縫目
８  接ぎ線（縫目）
９  衣類
【図１】
2005324854.tif 000004
【図２】
2005324854.tif 000005
【図３】
2005324854.tif 000006
【図４】
2005324854.tif 000007
【図５】
2005324854.tif 000008
【図６】
2005324854.tif 000009
【図７】
2005324854.tif 000010
【図８】
2005324854.tif 000011
【図９】
2005324854.tif 000012
【図１０】
2005324854.tif 000013
【図１１】
2005324854.tif 000014
【図１２】
2005324854.tif 000015
【図１３】
2005324854.tif 000016
【図１４】
2005324854.tif 000017
【図１５】
2005324854.tif 000018
【図１６】
2005324854.tif 000019
【手続補正書】
【提出日】平成16年7月29日(2004.7.29)
【手続補正１】
【補正対象書類名】明細書
【補正対象項目名】００２０
【補正方法】変更
【補正の内容】
【００２０】
【図１】  底布の四ツの角に、符号を付けた平面図。
【図２】  底布と同寸の布を二分割してイ、ロと符号を付け、それぞれの角に１、２、３、４の符号をつけた平面図。
【図３】  底布と同寸の布を二分割してハ、ニと符号を付け、それぞれの角に１、２、３、４の符号を付けた平面図。
【図４】  長方形に仕立てる場合、二分割する布の織目を、同一方向にする様、矢印で示した平面図。
【図５】  長方形に仕立てる場合、二分割する布の織目を、同一方向にする様、矢印で示した平面図。
【図６】  底布の上に、二分割した内の一枚を、横方向に置いた平面図。
【図７】  底布の上に、もう一枚を二分割した内の一枚を、横方向に置いた平面図。
【図８】  三枚目を縦方向に置いた平面図。
【図９】  四枚目を横方向に置き、片方を底布と一枚目の間に入れた平面図。
【図１０】  四枚を交互に重ね置き、三枚重ねになった周囲を縫った平面図。
【図１１】  縫代を内側に入れて、四ツの角に摘みを作り、厚みを出した収納袋の斜視図。
【図１２】  縫代を外に出した収納袋の斜視図。
【図１３】  袋に厚みを出すために角の摘みを示した斜視図。
【図１４】  衣類にポケットとして付けた平面図。
【図１５】  開口部を大きくした平面図。
【図１６】  開口部を細く長くした平面図。